(57)【要約】【課題】引き戸に用いる引き戸用錠の鎌片の連結部を保護することにより、不正解錠しにくい引き戸用錠を提供する。【解決手段】引き戸用錠１には、鎌片６の出入りに併せて出入りし、施錠状態で鎌片突出用開口２７と受け穴１０２の間に位置する鎌片６の連結部１８を保護する鎌片保護部材１５を有しており、前記鎌片保護部材１５は施錠状態で前記連結部１８を覆うように設けられている。また、前記鎌片保護部材１５は鎌片突出用開口２７の鎌先２６とは反対側の下縁２７ａに接触している。【選択図】  図２
2004169491.tif 000002
【特許請求の範囲】
【請求項１】
引き戸に設けられ、開口から出入りする鎌片と、鎌片の突出・退入の操作が可能な操作部を有し、前記操作部の操作により前記鎌片の鎌先が別途設けられた受け穴の奥に移動して引き戸の施錠を行う引き戸用錠において、さらに、鎌片の突出・退入に併せて出入りし、施錠状態で開口と受け穴の間に位置する鎌片の連結部を保護する鎌片保護部材を有し、前記鎌片保護部材は施錠状態で前記連結部を覆うように設けられていることを特徴とする引き戸用錠。
【請求項２】
引き戸に設けられ、開口から出入りする鎌片と、鎌片の突出・退入の操作が可能な操作部を有し、前記操作部の操作により前記鎌片の鎌先が別途設けられた受け穴の奥に移動して引き戸の施錠を行う引き戸用錠において、さらに、鎌片の突出・退入に併せて出入りし、施錠状態で開口と受け穴の間に位置する鎌片の連結部を保護する鎌片保護部材を有し、前記鎌片保護部材は前記開口の鎌先とは反対側の縁に接触することを特徴とする引き戸錠。
【請求項３】
前記鎌片保護部材は、鎌片の両側面に配置されていることを特徴とする請求項１又は２に記載の引き戸用錠。
【請求項４】
操作部の操作によってスライドするスライド部材が設けられ、操作部による鎌片の突出・退入はスライド部材を介して行われ、前記鎌片保護部材は、スライド部材の動きに連動することを特徴とする請求項１〜３のいずれかに記載の引き戸用錠。
【請求項５】
前記スライド部材は、鎌片の突出方向と垂直方向に移動可能であり、さらにスライド部材は突起が設けられ、前記鎌片保護部材はスライド部材のスライド方向に対して傾斜する方向に、前記突起に係合可能なスリットが設けられていることを特徴とする請求項４に記載の引き戸用錠。
【発明の詳細な説明】
【０００１】
【発明の属する技術分野】
本発明は、引き戸の施錠に用いられる引き戸用錠に関するものである。
【０００２】
【従来の技術】
従来より、引き戸の施錠のため、引き戸用錠が用いられている。この引き戸用錠は、内外２枚の引き違いに設けられた引き戸に設けられ、引き戸を閉じた状態で引き戸が重なっている部分の、いわゆる召し合わせ部に設けられている。
【０００３】
例えば、図９に示されているような引き戸錠１００が用いられており、引き戸錠１００は内側の引き戸１１１に取り付けられている。そして、引き戸用錠１００には鎌片１０１が設けられ、引き戸用錠１００に設けられる図示しない操作部を操作して鎌片１０１を回転させることができる。また、引き戸用錠１００の施錠は、引き戸１１０，１１１を閉じた状態で、鎌片１０１を突出させ、鎌片１０１の鎌先１０３を外側の引き戸１１０の受け穴１０２の奥に挿入して施錠する。なお、受け穴１０２は、引き戸１１０，１１１を閉じた状態で、引き戸用錠１００に対向する位置に設けられている。また、操作部の操作は、外側の引き戸１１０に設けられた鍵穴に鍵を差し込んで回転する等して行なわれる。
【０００４】
そして、施錠の際には鎌片１０１は回転しながら突出して、鎌先１０３が受け穴１０２に進入する。施錠されると鎌片１０１の先端の鎌先１０３は受け穴１０２の奥に位置し、鎌先１０３は正面方向からみた開口１０５の投影部分よりも外側に位置する。そのため、内側の引き戸１１１と外側の引き戸１１０を引き離す方向に力を加えても、鎌片１０１の鎌先１０３が受け穴１０２の内面部分に当たるため外れることはない。
【０００５】
【発明が解決しようとする課題】
しかしながら、施錠状態で内側の引き戸１１１と外側の引き戸１１０の間に若干の隙間１１３ができる。この隙間１１３は、引き戸１１０，１１１の開閉のために必要なものである。
また、引き戸１１０，１１１はその上下で戸枠やレールと係合しているため、引き戸同士を引っ張ると引き戸１１０，１１１が撓んで、引き戸錠１００が取り付けられる中央付近では、変形しやすく隙間１１３が大きくなりやすい。
そして、この隙間１１３に金属板状の工具などを差し込んで、不正に解錠されるおそれがあった。例えば、鎌先１０３側から連結部１１５に強い力を加えて鎌片１０１自体を変形させたり、鎌片１０１と連結している軸などの部材を変形させて移動させ、解錠する方法等である。
【０００６】
また、従来の引き戸用錠１００では、施錠の際に、鎌片１０１を回転により開口１１８から突出させる関係上、施錠した状態では鎌片１０１と開口１１８の縁との間に隙間１１７ができる。したがって、この隙間１１７から前記工具を差し込みやすかった。
【０００７】
そこで、本発明は、上記した不正解錠し難い引き戸用錠を提供することを課題とする。
【０００８】
【課題を解決するための手段】
上記した目的を達成するための請求項１に記載の発明は、引き戸に設けられ、開口から出入りする鎌片と、鎌片の突出・退入の操作が可能な操作部を有し、前記操作部の操作により前記鎌片の鎌先が別途設けられた受け穴の奥に移動して引き戸の施錠を行う引き戸用錠において、さらに、鎌片の突出・退入に併せて出入りし、施錠状態で開口と受け穴の間に位置する鎌片の連結部を保護する鎌片保護部材を有し、前記鎌片保護部材は施錠状態で前記連結部を覆うように設けられていることを特徴とする引き戸用錠である。
【０００９】
請求項１に記載の発明によれば、鎌片の突出・退入に併せて出入りし、施錠状態で連結部を覆うように設けられている鎌片保護部材を有しているので、不正解錠の際に工具が直接接触することが無く、鎌片が保護されるため不正解錠し難い。
【００１０】
請求項２に記載の発明は、引き戸に設けられ、開口から出入りする鎌片と、鎌片の突出・退入の操作が可能な操作部を有し、前記操作部の操作により前記鎌片の鎌先が別途設けられた受け穴の奥に移動して引き戸の施錠を行う引き戸用錠において、さらに、鎌片の突出・退入に併せて出入りし、施錠状態で開口と受け穴の間に位置する鎌片の連結部を保護する鎌片保護部材を有し、前記鎌片保護部材は前記開口の鎌先とは反対側の縁に接触することを特徴とする引き戸錠である。
【００１１】
請求項２に記載の発明によれば、前記開口の鎌先とは反対側の縁に接触する鎌片保護部材を有しているので、鎌片の連結部が鎌先側から工具などにより力が加わっても、鎌片保護部材が開口の縁に当たって前記力を受けるので、不正解錠されにくい。
【００１２】
請求項３に記載の発明は、前記鎌片保護部材は、鎌片の両側面に配置されていることを特徴とする請求項１又は２に記載の引き戸用錠である。
【００１３】
請求項３に記載の発明によれば、鎌片保護部材は、鎌片の両側面に配置されているので、両側から鎌片を保護して、大きな力を加えられても保護することができる。
【００１４】
請求項４に記載の発明は、操作部の操作によってスライドするスライド部材が設けられ、操作部による鎌片の突出・退入はスライド部材を介して行われ、前記鎌片保護部材は、スライド部材の動きに連動することを特徴とする請求項１〜３のいずれかに記載の引き戸用錠である。
【００１５】
請求項４に記載の発明によれば、操作部の操作によってスライドするスライド部材が設けられ、操作部による鎌片の突出・退入はスライド部材を介して行われ、前記鎌片保護部材は、スライド部材の動きに連動するので、簡単な構造により不正解錠を防止することができる。
【００１６】
請求項５に記載の発明は、前記スライド部材は、鎌片の突出方向と垂直方向に移動可能であり、さらにスライド部材は突起が設けられ、前記鎌片保護部材はスライド部材のスライド方向に対して傾斜する方向に、前記突起に係合可能なスリットが設けられていることを特徴とする請求項４に記載の引き戸用錠である。
【００１７】
請求項５に記載の発明によれば、前記スライド部材は、鎌片の突出方向と垂直方向に移動可能であり、さらにスライド部材は突起が設けられ、前記鎌片保護部材はスライド部材のスライド方向に対して傾斜する方向に、前記突起に係合可能なスリットが設けられているので、さらに容易な構造により鎌片移動部材の移動が可能となる。
【００１８】
【発明の実施の形態】
以下さらに本発明の具体的実施例について説明する。図１は、本発明の実施形態における引き戸用錠の解錠状態を示す斜視図である。図２は、本発明の実施形態における引き戸用錠の施錠状態を示す斜視図である。図３は、本発明の実施形態における引き戸用錠の分解斜視図である。図４は、本発明の実施形態における引き戸用錠の鎌片、スライド部材、鎌片保護部材を示した斜視図である。図５は、本発明の実施形態における引き戸用錠の鎌片を示した斜視図である。図６〜図８は、本発明の実施形態における引き戸用錠の解錠状態から施錠状態を示す模式図である。
【００１９】
本発明の第１の実施形態である引き戸用錠１は、図１、図２、図３（ａ）、図３（ｂ）に示されている。図３に示されるように、引き戸用錠１には、鎌片６、ケース部材１１、スライド部材１２、操作部材１３、押さえ部材１４、鎌片保護部材１５及び連結用ロッド１６が設けられている。
【００２０】
図３（ａ）に示されるように、引き戸用錠１は、従来技術の引き戸用錠１００と同様に、内外２枚の引き違いに設けられた引き戸１１０，１１１に設けられるものであり、操作部材１３を操作して鎌片６を回転させることができるものである。そして、引き戸１１０，１１１を閉めた状態、すなわち、召し合わせ部が一致した状態で、受け穴１０２に引き戸用錠１の鎌片６が突出・退入して施錠・解錠が行われる。そして、鎌片６が退入すると、解錠され、図１に示される状態となる。また、鎌片６が突出すると、施錠され、図２に示される状態となる。
【００２１】
図１に示されるように、ケース部材１１は、上下方向に細長く、フランジが設けられている箱状である。そして、図３（ｂ）に示すように、ケース部材１１は、板状のフランジ部材１１ａと、側面部３０を有する正面側部材１１ｂと、後方側部材１１ｃを有している。フランジ部材１１ａ、正面側部材１１ｂ及び後方側部材１１ｃには貫通孔３２が設けられて、貫通孔３２に図示しないボルトを挿通して後述する連結用ロッド１６の雌ねじ部１６ａと連結して一体化することができる。側面部３０は正面側部材１１ｂの左右両側に設けられている。
また、図１、図２に示されるように、ケース部材１１の正面側には鎌片突出用開口２７と、操作部用開口２８が設けられている。そして鎌片突出用開口２７から鎌片６及び鎌片保護部材１５の突出が可能となっている。鎌片突出用開口２７の形状は、略長方形であって下側に鎌片保護部材１５の位置する部分がやや幅広となっている形状である。したがって、鎌片保護部材１５の下側は、鎌片突出用開口２７に接触しており、鎌片保護部材１５の移動は上下に動かず、前後方向にのみ移動する。
【００２２】
ケース部材１１の正面側部材１１ｂに設けられる左右の側面部３０には、鎌片回転軸孔３３とガイド孔３５を有している。鎌片回転軸孔３３は円状の貫通孔であり、ガイド孔３５は円弧状の貫通孔である。
【００２３】
鎌片６は図５に示されるように鎌形をした板状であり、切り欠き部２５と、施錠時に引き戸同士を連結する部分である連結部１８と、鎌先２６を有している。鎌片６には、板面に垂直方向に貫通する貫通孔の軸孔２２及び長孔２３が設けられている。切り欠き部２５は鎌先２６と軸孔２２との間である。
【００２４】
スライド部材１２は、図４に示されるように、後面１２ａと２つの側面１２ｂ、１２ｃが設けられた断面略「コ」型であって、上下に細長い形状をしている。そして、スライド部材１２はケース部材１１の内部に位置している。
【００２５】
スライド部材１２の２つの側面１２ｂ、１２ｃには揺動軸棒収納切り欠き３８が設けられている。
スライド部材１２の側面１２ｃには図３（ａ）、図４に示されるように、梯子状に貫通孔が複数有するギア合わせ部４２が設けられており、ギア合わせ部４２と後述する操作部材１３のギア部４５とかみ合う。ギア合わせ部４２にはスライド部材１２の端部につながる挿入部４２ａを有して、ギア部を挿入しやすくしている。
また、スライド部材１２の側面１２ｂの内側の下方付近に突起４０が設けられている。そして、突起４０は、鎌片保護部材１５のスリット４１に係合している。
スライド部材１２の後面１２ａと２つの側面１２ｂ、１２ｃに囲まれる空間に、鎌片６、操作部材１３、押さえ部材１４及び鎌片保護部材１５が配置されている。具体的には図４に示されている。
【００２６】
図３に示されるように、引き戸用錠１には、回転軸棒３６と揺動軸棒３７が設けられている。そして、回転軸棒３６は鎌片６の軸孔２２とケース部材１１の鎌片回転軸孔３３とに連通するように挿通され、鎌片６は回転軸棒３６によってケース部材１１に回転可能に軸支されている。また、揺動軸棒３７は鎌片６の長孔２３とケース部材１１のガイド孔３５とに連通するように挿通されており、後述するように揺動軸棒３７が揺動すると鎌片６が回転する。揺動軸棒３７は、図４に示されるように、スライド部材１２の揺動軸棒収納切り欠き３８に位置しており、スライド部材１２が上下すると、それに伴って揺動軸棒３７も上下する。
【００２７】
操作部材１３は、図３（ａ）に示されるように、外周部分にギア部４５が設けられた円柱状の部材であり、軸の中心には角穴２０が設けられている。そして、角穴２０は、操作部用開口２８から外部に露出しており、外部から操作が可能である。具体的には、外側の引き戸１１０に設けられる図示しない鍵部材に所定の鍵を挿入し、鍵を押して鍵部材の一部を角穴２０に係合させ、鍵を回して操作部材１３を回転させる。
操作部材１３は、ケース部材１１に固定されている押さえ部材１４によって保持されている。
【００２８】
鎌片保護部材１５は、図３、図４に示されており、断面が略「コ」字状の板状の部材であり、底面１５ａと２つの側面１５ｂ、１５ｃを有している。そして、２つの側面１５ｂ、１５ｃの外側の幅は、スライド部材１２の内側の幅よりやや小さく、鎌片保護部材１５はスライド部材１２の内側に沿って移動可能である。また、２つの側面１５ｂ、１５ｃの内側の幅は、鎌片６の幅よりやや大きい。
鎌片保護部材１５の底面１５ａは、ケース部材１１の後方側部材１１ｃに接触し、鎌片突出用開口２７の幅広部２７ｂによりガイドされる。また、鎌片保護部材１５の下側は、鎌片突出用開口２７に接触しており、鎌片保護部材１５の移動は上下に動かず、前後方向にのみ移動する。
【００２９】
鎌片保護部材１５の側面１５ｂにはスリット４１が設けられており、前記したようにスライド部材１２の突起４０と係合している。スリット４１はスライド部材１２のスライド方向である上下方向に対してやや傾斜しており、スリット４１の上側が正面側となるようにやや傾斜している。
【００３０】
鎌片保護部材１５は、鎌片突出用開口２７より突出が可能となっているが、その位置は、鎌片突出用開口２７の下側に位置している。そして、鎌片６が鎌片突出用開口２７から突出して施錠状態となると、鎌片保護部材１５が突出し、鎌片保護部材１５は、鎌片６の連結部１８を覆う状態となっている。また、鎌片突出用開口２７の下側は鎌先２６とは反対側の縁である下縁２７ａに接触しており、鎌片突出用開口２７の上側は連結部１８よりも上側に位置している。
また、鎌片保護部材１５の内側である側面１５ｂ、１５ｃ同士の間に鎌片６が配置されているため、鎌片保護部材１５の側面１５ｂ、１５ｃにより鎌片６を保護する。
【００３１】
連結用ロッド１６は、両端に雌ねじ部１６ａを有する棒状であり、一方の雌ねじ部１６ａは前記したようにケース部材１１の一体化に用いられ、他方の雌ねじ部１６ａは、内側の引き戸との固定に用いられる。
【００３２】
引き戸用錠１の組み立て方法は以下のようにして行われる。
まず、ケース部材１１の正面側部材１１ｂと後方側部材１１ｃを取り外した状態で鎌片６をケース部材１１に入れて取り付ける。具体的には、正面側部材１１ｂに鎌片６を入れ、鎌片６の軸孔２２及び鎌片回転軸孔３３に連通するように回転軸棒３６を挿通し、また、鎌片６の長孔２３及びガイド孔３５に連通するように揺動軸棒３７を挿通する。
そして、操作部材１３を操作部用開口２８に合わせるように配置して、押さえ部材１４で押さえる。
【００３３】
スライド部材１２と鎌片保護部材１５を、突起４０とスリット４１を係合するようにしながら、前記の様に組み立てた鎌片６、操作部材１３及び押さえ部材１４を入れた状態の正面側部材１１ｂに挿入する。
このとき、操作部材１３のギア部４５をスライド部材１２の挿入部４２ａから挿入してギア部４５がギア合わせ部４２にかみ合うようにする。また、鎌片保護部材１５が鎌片６の両側面１５ｂ、１５ｃに挟まれるようにしながら鎌片突出用開口２７付近に配置する。さらに、揺動軸棒３７がスライド部材１２の揺動軸棒収納切り欠き３８に嵌るように行う。
【００３４】
さらに、フランジ部材１１ａ、正面側部材１１ｂ及び後方側部材１１ｃの貫通孔３２に図示しないボルトを挿通して連結用ロッド１６の雌ねじ部１６ａと連結して一体化する。
【００３５】
そうして、引き戸用錠１が組み立てられると、操作部材１３とスライド部材１２が連動し、操作部材１３の回転によってスライド部材１２が上下する。そして、スライド部材１２の上下により、鎌片６が回転軸棒３６を軸として回転して鎌片突出用開口２７から突出・退入し、また、鎌片突出用開口２７から鎌片保護部材１５が突出・退入する。鎌片６の突出・退入に合わせて、鎌片保護部材１５の突出・退入が行われる。
【００３６】
さらに、引き戸用錠１の動きについて図６〜図８を用いて説明する。図６〜図８は、引き戸用錠１の左側から見た図であり、鎌片６の回転方向を示す場合にはこれらの図を基準として説明する。
図６は、図１の状態のように引き戸用錠１の施錠状態を示したものであり、鎌片６が退入している状態である。この状態では、揺動軸棒３７がガイド孔３５の一番上側に位置しており、鎌片６はこれ以上に時計方向には回転しない。
突起４０はスリット４１の一番上側に位置している。そして、スリット４１は、上下方向に対して、スリット４１の上側が正面側となるようにやや傾斜しているので、鎌片保護部材１５は鎌片突出用開口２７に退入した状態となっている。
【００３７】
次に、上記したように外部から操作して、操作部材１３を回転させる。そうすると、ギア部４５とかみ合っているギア合わせ部４２が、ギア部４５の回転により、スライド部材１２が移動する。本実施形態の場合には、正面側から見て時計回りに操作部材１３を回転させると、スライド部材１２が下側に移動する。この状態を示したのが図７である。
【００３８】
図７に示す状態では、スライド部材１２の揺動軸棒収納切り欠き３８により、揺動軸棒３７が押されると、揺動軸棒３７がガイド孔３５に沿って下側に移動する。そして、ガイド孔３５のほぼ中央付近に位置する。そして、揺動軸棒３７が長孔２３に挿通されているので、鎌片６が反時計回りに回転する。
また、スライド部材１２が下側に移動して突起４０が移動する。そうすると、鎌片保護部材１５は前後方向にしか平行移動できないので、スリット４１の中間付近に突起４０が位置し、鎌片保護部材１５が鎌片突出用開口２７から突出する。
【００３９】
さらに、操作部材１３を回転させると、揺動軸棒３７がガイド孔３５の下端付近まで移動する。また、スライド部材１２がさらに下側に移動し、突起４０がスリット４１の下端付近まで移動する。そして、図８に示されるように、鎌片６は約９０°回転し、鎌片保護部材１５はさらに突出する。
【００４０】
そして鎌片６の切り欠き部２５に外側の引き戸１１０に設けられている受け穴の上端部１０５ａが位置し、鎌先２６が受け穴１０２の開口１０５から内部に入り込み、施錠状態となる。
なお、鎌片６には、図示しないばねが設けられており、鎌片６が図７の状態を越えると、揺動軸棒３７がガイド孔３５の端部に向かう方向に付勢されているので、鎌片６は途中から小さな力で解錠又は施錠することができる。
【００４１】
本実施形態では、鎌片保護部材１５が設けられているので、不正解錠しにくい。すなわち、鎌片保護部材１５は、施錠状態では鎌片６の連結部１８の側部を覆っており、鎌片６は鎌片保護部材１５により側面からの力に対して保護される。また、鎌片保護部材１５は施錠状態では鎌片突出用開口２７の下縁２７ａに接触しているため、鎌片６は鎌片保護部材１５により、鎌先２６側からの力、すなわち、上側から力に対して保護される。
【００４２】
施錠状態から解錠状態に至る動きは、上記した動きとは反対であり、操作部材１３を反時計回りに回転させて、鎌片６及び鎌片保護部材１５を退入させる。
【００４３】
上記した実施形態では、操作部は操作部材１３であり、操作部材１３を回転して、スライド部材１２を移動させるものであったが、直接スライド部材１２を移動させてスライド部材１２を移動させるものでもよく、また上記実施例の操作部材１３と組み合わせても良い。例えば、ケース部材１１の後方側部材１１ｃに開口８０を設け、前記開口８０からスライド部材１２に連結する部材を設けることができる。
【００４４】
上記実施形態では、施錠状態における鎌先２６の向きは上向きであったが、下向きやその他の方向でも良い。
【００４５】
【発明の効果】
本発明によれば、鎌片の連結部を保護することにより、不正解錠しにい引き戸用錠を提供することができる。
【図面の簡単な説明】
【図１】本発明の実施形態における引き戸用錠の解錠状態を示す斜視図である。
【図２】本発明の実施形態における引き戸用錠の施錠状態を示す斜視図である。
【図３】本発明の実施形態における引き戸用錠の分解斜視図であり、（ａ）は、全体を示した図であり、（ｂ）はケース部材の断面を示した図である。
【図４】本発明の実施形態における引き戸用錠の鎌片、スライド部材、鎌片保護部材を示した斜視図である。
【図５】本発明の実施形態における引き戸用錠の鎌片を示した斜視図である。
【図６】本発明の実施形態における引き戸用錠の解錠状態を示す模式図である。
【図７】本発明の実施形態における引き戸用錠の解錠状態と施錠状態との間の状態を示す模式図である。
【図８】本発明の実施形態における引き戸用錠の施錠状態を示す模式図である。
【図９】従来技術の引き戸用錠の施錠状態を示す模式図である。
【符号の説明】
１    引き戸用錠
６    鎌片
１３  操作部材
１２  スライド部材
１５  鎌片保護部材
１８  連結部
２７  鎌片突出用開口
２７ａ  下縁
４０  突起
４１  スリット
１０２  受け穴
１１０，１１１  引き戸
【図１】
2004169491.tif 000003
【図２】
2004169491.tif 000004
【図３】
2004169491.tif 000005
【図４】
2004169491.tif 000006
【図５】
2004169491.tif 000007
【図６】
2004169491.tif 000008
【図７】
2004169491.tif 000009
【図８】
2004169491.tif 000010
【図９】
2004169491.tif 000011